(57)【要約】オゾン発生器（２）と、吸着塔（３）と、待機部（７）と、減圧装置（８）と、オゾン供給部（９）と、低温冷媒循環器（５）と、生成したオゾン化ガスを冷却された吸着剤（４）に吸着させ、吸着剤（４）に吸着させたオゾン化ガスを脱着させて濃縮する制御部（１０）とを備え、制御部（１０）は、吸着塔（３）の吸着剤（４）から脱着させたオゾン化ガスを待機部（７）に待機させる待機状態のときの吸着塔（３）内の圧力を、吸着のときの吸着塔（３）内の圧力よりも低くする。
2017130523.tif 000002
【特許請求の範囲】
【請求項１】
オゾン化ガスを生成するオゾン発生器と、
生成した前記オゾン化ガスを内部の吸着剤に吸着させる吸着塔と、
前記吸着塔の前記吸着剤から脱着させた前記オゾン化ガスを待機させる待機部と、
前記吸着塔および前記待機部の圧力を低下させる減圧装置と、
前記脱着させたオゾン化ガスを供給対象に供給するオゾン供給部と、
前記吸着剤を冷却する低温冷媒循環器と、
前記オゾン発生器、前記吸着塔、前記待機部、および前記減圧装置を接続するガス流路のガス流を制御し、生成した前記オゾン化ガスを冷却された前記吸着剤に吸着させ、前記吸着剤に吸着させた前記オゾン化ガスを脱着させてオゾンを濃縮する制御部とを備え、
前記制御部は、前記脱着させたオゾン化ガスを前記待機部に待機させる待機状態のときの前記吸着塔内の圧力を、前記吸着のときの前記吸着塔内の圧力よりも低くするオゾン供給装置。
【請求項２】
前記供給対象の前段に前記減圧装置を備え、前記減圧装置により、前記オゾン化ガスを前記供給対象に供給する際、前記供給対象の気相圧力よりも前記吸着塔内の圧力を低くする請求項１に記載のオゾン供給装置。
【請求項３】
前記吸着塔と前記待機部との間の前記ガス流路に圧力計を備え、前記制御部は、前記吸着塔内の圧力が予め設定した圧力を下回ったことを条件として、前記待機状態に移行させる請求項１または請求項２に記載のオゾン供給装置。
【請求項４】
前記吸着塔と前記待機部との間の前記ガス流路にオゾン計を備え、
前記オゾン計はガス流路内のオゾン分圧を測定し、
前記制御部は、前記吸着において前記オゾン発生器から前記吸着塔に導入される前記オゾン化ガス中のオゾン分圧よりも低い任意のオゾン分圧を工程移行条件として設定し、前記吸着塔内のオゾン分圧が前記工程移行条件として設定したオゾン分圧を下回ったことを条件として、前記待機状態に移行させる請求項１から請求項３のいずれか１項に記載のオゾン供給装置。
【請求項５】
前記吸着塔と前記待機部との間の前記ガス流路にオゾン計を備え、
前記オゾン計は前記ガス流路内のオゾン純度を測定し、
前記制御部は、前記吸着塔内のオゾン純度が予め設定したオゾン純度以上の純度に達したことを条件として、前記待機状態に移行させる請求項１から請求項４のいずれか１項に記載のオゾン供給装置。
【請求項６】
前記吸着塔内の温度を測定する温度計と前記吸着剤の温度を調節する温度調節装置とを備え、
前記制御部は、前記待機状態における前記吸着剤の温度を、前記吸着における前記吸着剤の温度以下の温度にする請求項１から請求項５のいずれか１項に記載のオゾン供給装置。
【請求項７】
前記供給対象と前記制御部との間で信号の授受を行うための通信部を設け、前記供給対象でオゾン要求が発生した場合、
前記制御部は、前記オゾン要求を受信し、前記減圧装置および前記ガス流を制御し、前記供給対象に前記オゾン化ガスを供給する請求項１から請求項６のいずれか１項に記載のオゾン供給装置。
【請求項８】
前記待機部を複数並列に備え、１つまたは複数の前記供給対象に対して前記濃縮したオゾン化ガスを供給する請求項１から請求項７のいずれか１項に記載のオゾン供給装置。
【請求項９】
オゾン供給間隔またはオゾン供給時間のうち少なくとも一方を記憶する記憶部を備え、
前記制御部は、前記記憶部に蓄積されたオゾン供給データを用いて次回のオゾン供給時期を推定し、前記オゾン供給時期の直前に前記吸着および前記濃縮が完了するように前記オゾン発生器および前記ガス流を制御する請求項１から請求項８のいずれか１項に記載のオゾン供給装置。
【請求項１０】
前記吸着塔および前記待機部の両方またはいずれか一方の内壁面は、オゾン分解を抑制する処理を施した請求項１から請求項９のいずれか１項に記載のオゾン供給装置。
【請求項１１】
前記オゾン供給部は、液体供給部と気液混合装置とを備え、
前記濃縮した前記オゾン化ガスを、前記気液混合装置を用いて液体に溶解させてオゾン溶液を生成し、前記オゾン溶液を前記供給対象に供給する請求項１から請求項１０のいずれか１項に記載のオゾン供給装置。
【請求項１２】
オゾン発生器と、内部に吸着剤が充填された吸着塔と、オゾン化ガスを待機させる待機部と、減圧装置と、前記オゾン化ガスを供給するオゾン供給部と、前記吸着剤を冷却する低温冷媒循環器と、を備えたオゾン供給装置を用い、
前記オゾン発生器で発生したオゾン化ガスを、前記吸着塔に導入し、冷却された前記吸着剤に前記オゾン化ガスを吸着する吸着工程と、
前記減圧装置で前記吸着塔を減圧して前記吸着塔内のガス中オゾン純度を高める濃縮工程と、
濃縮された高純度オゾン化ガスを減圧された前記吸着塔および前記待機部の内部に封じ切り、待機する待機工程と、
前記高純度オゾン化ガスを供給する供給工程と、
を備えたオゾン供給方法。
【発明の詳細な説明】
【技術分野】
【０００１】
この発明は、吸着現象を利用してオゾンを濃縮および貯蔵するオゾン供給装置およびオゾン供給方法に関するものである。
【背景技術】
【０００２】
オゾンは強力な酸化剤として水環境浄化、半導体洗浄等、多岐に渡る分野で利用されており、近年の環境意識の高まりにより、高濃度かつ高効率なオゾン発生技術への要求が高まっている。オゾン発生器単体の発生オゾン純度の上限値は体積分率２０％程度であり、オゾンは自己分解する性質があるため常温での気相保管は困難である。間欠的なオゾン処理を行うためには、その都度オゾン発生を行う必要がある。吸着現象を利用してオゾンの貯蔵および濃縮を行い、高純度のオゾン化ガスを間欠的に供給する手法が開示されている（例えば、特許文献１、２）。また、貯蔵したオゾンを脱着させるために、吸着塔を減圧する方法（例えば、特許文献３）と、吸着塔を昇温する方法（例えば、特許文献２）とが開示されている。上記特許文献１−３の開示発明では、需要が生じてからオゾンの脱着を行うため、オゾン要求に対して即時にオゾンを供給できない問題があった。
これに対し、オゾン脱着前に予備加熱を行う待機工程を設け、要求に対して即時に脱着を開始し供給する手法が開示されている（例えば、特許文献４）。
【先行技術文献】
【特許文献】
【０００３】
【特許文献１】特開平１１−４３３０７号公報（段落［００１８］〜［００２３］および図１）
【特許文献２】特公昭６１−０１１８８１号公報（２頁右欄、３頁右欄〜４頁右欄、および図３、５）
【特許文献３】特許第３８３７２８０号公報（段落［００１７］および図１）
【特許文献４】特公昭６３−０１３９２８号公報（２頁右欄〜３頁左欄、および図２）
【発明の概要】
【発明が解決しようとする課題】
【０００４】
しかし、特許文献４の開示発明では、待機工程中でのオゾン自己分解により、オゾン利用効率が低下する問題がある。【０００５】
この発明は、上記の問題を解決するためになされたものであり、オゾン要求に対する濃縮オゾン供給の応答性を改善し、オゾン利用効率を向上できるオゾン供給装置およびオゾン供給方法を提供することを目的とする。
【課題を解決するための手段】
【０００６】
この発明に係るオゾン供給装置は、オゾン化ガスを生成するオゾン発生器と、生成したオゾン化ガスを内部の吸着剤に吸着させる吸着塔と、吸着塔の吸着剤から脱着させたオゾン化ガスを待機させる待機部と、吸着塔および待機部の圧力を低下させる減圧装置と、脱着させたオゾン化ガスを供給対象に供給するオゾン供給部と、吸着剤を冷却する低温冷媒循環器と、オゾン発生器、吸着塔、待機部、および減圧装置を接続するガス流路のガス流を制御し、生成したオゾン化ガスを冷却された吸着剤に吸着させ、吸着剤に吸着させたオゾン化ガスを脱着させてオゾンを濃縮する制御部とを備え、制御部は、脱着させたオゾン化ガスを待機部に待機させる待機状態のときの吸着塔内の圧力を、吸着のときの吸着塔内の圧力よりも低くするものである。【０００７】
この発明に係るオゾン供給方法は、オゾン発生器と、内部に吸着剤が充填された吸着塔と、オゾン化ガスを待機させる待機部と、減圧装置と、オゾン化ガスを供給するオゾン供給部と、吸着剤を冷却する低温冷媒循環器と、を備えたオゾン供給装置を用い、オゾン発生器で発生したオゾン化ガスを、吸着塔に導入し、冷却された吸着剤にオゾン化ガスを吸着する吸着工程と、減圧装置で吸着塔を減圧して吸着塔内のガス中オゾン純度を高める濃縮工程と、濃縮された高純度オゾン化ガスを吸着塔および待機部の内部に封じ切り、待機する待機工程と、高純度オゾン化ガスを供給する供給工程と、を備えたものである。
【発明の効果】
【０００８】
この発明に係るオゾン供給装置は、吸着塔の吸着剤から脱着させたオゾン化ガスを待機させる待機部を備える構造であるため、任意のタイミングで高純度オゾン化ガスを即時供給でき、待機中におけるオゾンの自己分解を抑制し、オゾン利用効率を向上させることができる。【０００９】
この発明に係るオゾン供給方法は、濃縮された高純度オゾン化ガスを吸着塔および待機部の内部に封じ切り待機する待機工程を備えるため、任意のタイミングで高純度オゾン化ガスを即時供給でき、待機中におけるオゾンの自己分解を抑制し、オゾン利用効率を向上させることができる。
【図面の簡単な説明】
【００１０】
【図１】この発明の実施の形態１のオゾン供給装置に係る構成を示す系統概略図である。
【図２】この発明の実施の形態１のオゾン供給方法に係るフローチャートである。
【図３】この発明の実施の形態１のオゾン供給装置に係る比較例の説明図である。
【図４】この発明の実施の形態１のオゾン供給装置に係る工程概要図である。
【図５】この発明の実施の形態１のオゾン供給装置に係る比較例の工程概要図である。
【図６】この発明の実施の形態１のオゾン供給装置に係る他の構成を示す系統概略図である。
【図７】この発明の実施の形態１のオゾン供給装置に係る他の構成を示す系統概略図である。
【図８】この発明の実施の形態１のオゾン供給装置に係る他の構成を示す系統概略図である。
【図９】この発明の実施の形態１のオゾン供給装置に係る他の構成を示す系統概略図である。
【図１０】この発明の実施の形態２のオゾン供給装置に係る構成を示す系統概略図である。
【図１１】この発明の実施の形態２のオゾン供給装置に係る吸着塔内圧力とオゾン純度の関係を示す特性図である。
【図１２】この発明の実施の形態３のオゾン供給装置に係る構成を示す系統概略図である。
【図１３】この発明の実施の形態４のオゾン供給装置に係る構成を示す系統概略図である。
【図１４】この発明の実施の形態５のオゾン供給装置に係る構成を示す系統概略図である。
【図１５】この発明の実施の形態６のオゾン供給装置に係る構成を示す系統概略図である。
【図１６】この発明の実施の形態７のオゾン供給装置に係る構成を示す系統概略図である。
【図１７】この発明の実施の形態９のオゾン供給装置に係る構成を示す系統概略図である。
【発明を実施するための形態】
【００１１】
実施の形態１．
実施の形態１は、オゾン発生器と、内部に吸着剤が充填された吸着塔と、オゾン化ガスを待機させる待機部と、減圧装置と、オゾン化ガスを供給するオゾン供給部と、吸着剤を冷却する低温冷媒循環器と、オゾン化ガスを吸着剤に吸着させ、吸着剤に吸着させたオゾン化ガスを脱着させて濃縮する制御部とを備えるオゾン供給装置、
および吸着工程と、濃縮工程と、待機工程と、供給工程とを備えるオゾン供給方法に関するものである。
【００１２】
以下、実施の形態１に係るオゾン供給装置の構成、およびオゾン供給方法について、オゾン供給装置の構成を示す系統概略図である図１、オゾン供給方法のフローチャートである図２、比較例の説明図である図３、オゾン供給装置の工程概要図である図４、比較例の工程概要図である図５、およびオゾン供給装置の他の構成を示す系統概略図である図６〜図９に基づいて説明する。
なお、系統概略図において、同一あるいは相当部分は、同一の符号を付している。
【００１３】
実施の形態１の説明では、実施の形態１のオゾン供給装置およびオゾン供給方法の特徴を明確にするため、比較例のオゾン供給装置の構成および工程概要をあわせて説明する。
本説明において、オゾン純度は対象ガス中の全粒子数に対するオゾン粒子数の割合を示す用語、オゾン分圧は単位体積に含まれるオゾン粒子の絶対数を示す用語として、両者を区別して使用する。
【００１４】
まず、実施の形態１のオゾン供給装置の構成を図１に基づいて説明する。
図１は、オゾン供給装置の構成を示す系統概略図である。オゾン供給装置１００は、原料ガス源１、オゾン発生器２、吸着塔３、低温冷媒循環器５、待機部７、減圧装置８、オゾン供給部９、および制御部１０を備える。
【００１５】
原料ガス源１から酸素を含む原料ガスがオゾン発生器２に導入され、原料ガスがオゾン化される。オゾン化ガスは、吸着剤４が内部に充填された吸着塔３へと導入され、オゾン化ガス中のオゾンが吸着剤４表面に吸着される。
吸着塔３は、周囲を低温冷媒６で囲まれており、低温冷媒循環器５は、低温冷媒６を循環させ、吸着塔３を冷却することで吸着剤４の温度を低温に維持している。
また待機部７の外壁は、例えば断熱材で被覆する、または真空断熱する方法で外気と断熱することで、待機部７に封じ切られたオゾン化ガスの温度上昇を防止する。
吸着塔３および待機部７の内壁面は、実際にオゾン供給装置１００を使用する前に、使用予定オゾン分圧よりも高いオゾン分圧を有するオゾン化ガスに曝露して不動態化しておくことが望ましい。吸着塔３および待機部７の内壁面を不動態化しておくことで、内壁面とオゾンとが接触することで生じるオゾンの分解を抑制することができる。
【００１６】
オゾン発生器２と吸着塔３とを接続するガス流路の吸着塔入口にはバルブＶ１が設置されている。吸着塔３と待機部７とを接続するガス流路の待機部入口にはバルブＶ２が設置され、このガス流路にはガスを抽出し系外に排出するためのバルブＶ３が設置されている。待機部７と減圧装置８とを接続するガス流路の減圧装置入口にはバルブＶ４が設置されている。これらのバルブＶ１〜Ｖ４は制御バルブであり、制御部１０で開閉制御される。すなわち、制御部１０は制御バルブであるバルブＶ１〜Ｖ４を制御することで、ガス流路のガス流を制御する。
オゾン供給装置１００で生成されたオゾン化ガスは、オゾン供給部９から供給対象１１に供給される。
【００１７】
次に、オゾン供給装置１００の動作を説明する。
オゾン供給装置１００の動作は、冷却された吸着剤４にオゾンを吸着する吸着工程と、吸着剤４が充填された吸着塔３を減圧して吸着塔３内のガス中オゾン純度を高める濃縮工程と、濃縮された高純度オゾン化ガスを吸着塔３および待機部７内に封じ切り、任意の時間待機する待機工程と、高純度オゾン化ガスを供給対象１１に供給する供給工程と、から成る。
【００１８】
次に、吸着工程、濃縮工程、待機工程、供給工程の各工程の動作を具体的に説明する。
吸着工程において、酸素を含む原料ガスが原料ガス源１からオゾン発生器２へ導入され、オゾン発生器２は原料ガスをオゾン化する。制御部１０は、バルブＶ１およびバルブＶ３を開状態、バルブＶ２およびバルブＶ４を閉状態とし、オゾン化ガスは吸着塔３へと導入され、冷却された吸着剤４にオゾンが吸着される。
吸着剤４は、酸素、窒素、窒素酸化物等、オゾン化ガスに含まれるオゾン以外のガス種（以降、原料ガス種と記載する）に比べ、オゾンを優先的に吸着するものを選定する。吸着剤４として、例えばシリカゲルが使用される。吸着剤４の吸着特性により、吸着剤４表面でのオゾン純度はオゾン化ガス中のオゾン純度よりも高くなる。
吸着剤４の温度は低いほど、吸着剤４へのオゾンの吸着量は多くなる。このため、低温冷媒循環器５は吸着塔３の周囲に低温冷媒６を循環させ、吸着剤４の温度を低温に維持する。吸着されなかったオゾンおよび原料ガス種はバルブＶ３を通り系外に排出される。
吸着剤４へのオゾンの吸着量が一定量に達するか、一定時間が経過するか、または工程移行信号が外部より入力される等、予め設定した条件を満たすと、濃縮工程に移行する。
【００１９】
濃縮工程においては、吸着剤４に吸着された原料ガス種を優先的に脱着させて排気することで、オゾン純度を向上させる。濃縮工程においては、バルブＶ１およびバルブＶ３は閉状態、バルブＶ２およびバルブＶ４は開状態とし、減圧装置８を用いて吸着塔３内を減圧する。
減圧装置８としては、例えば真空ポンプ、エジェクタが使用される。減圧装置８として真空ポンプを使用した場合、真空ポンプの二次側は正圧となるため、供給対象１１の圧力を吸着塔３の圧力よりも低くする必要はなく、供給対象１１の自由度が高まる。
吸着剤４の吸着特性により、原料ガス種の吸着剤４からの脱着率に比べ、オゾンの吸着剤４からの脱着率は低いため、吸着塔３が減圧されると、吸着塔３内のオゾン以外の原料ガス種が優先的に排気され、吸着塔３内のオゾン純度が高まる。
このように、供給対象１１の前段に真空ポンプ等のように二次側が正圧となる減圧装置８を備えることで、供給対象１１の気相圧力よりも、吸着塔３内の圧力が低い状態で、オゾン化ガスを供給対象１１に供給することができる。
【００２０】
待機工程においては、制御部１０はバルブＶ１、バルブＶ３およびバルブＶ４を閉状態とし、濃縮工程を経てオゾン純度が高められた吸着塔３内オゾン化ガスは、吸着塔３および待機部７内に封じ切られる。
制御部１０はバルブＶ１、バルブＶ３、およびバルブＶ４を任意の時間閉状態に維持し、オゾン要求信号を待機する。
【００２１】
次に供給工程について説明する。
予め設定した任意の時間経過する、又は外部からオゾン要求信号が入力される等、設定した条件を満たすと、オゾン供給装置１００は供給工程に移行し、減圧装置８を用いて吸着塔３を負圧に維持したまま、オゾン供給部９により供給対象１１へ高純度オゾン化ガスを供給する。
オゾン供給部９は、供給対象１１が気相オゾンを要求する場合、例えばガス配管、エジェクタ等であり、供給対象１１が液相オゾンを要求する場合、例えば散気管、エジェクタ等である。エジェクタを用いた場合、減圧装置８とオゾン供給部９との機能を一つのエジェクタで担当させてもよい。
【００２２】
以上説明した吸着工程、濃縮工程、待機工程、供給工程の各工程から成るオゾン供給方法を適用して、高純度オゾン化ガスを生成して、供給する処理を図２のフローチャートに基づいて説明する。
【００２３】
なお、本実施の形態１のオゾン供給方法は、オゾン発生器２と、内部に吸着剤４が充填された吸着塔３と、オゾン化ガスを待機させる待機部７と、減圧装置８と、オゾン化ガスを供給対象に供給するオゾン供給部９と、を備えたオゾン供給装置１００を用い、以下のステップ１（Ｓ０１）からステップ４（Ｓ０４）の工程から成るものである。
なお、図３のフローチャートでは、ステップ５（Ｓ０５）に運転継続判定処理を追加して、運転を継続できるフローとしている。
【００２４】
ステップ１（Ｓ０１）の吸着工程では、オゾン発生器２で発生したオゾン化ガスを、吸着塔３に導入し、冷却された吸着剤４にオゾン化ガスを吸着する。
【００２５】
ステップ２（Ｓ０２）の濃縮工程では、減圧装置８で吸着塔３を減圧して吸着塔３内のガス中オゾン純度を高める。
【００２６】
ステップ３（Ｓ０３）の待機工程では、濃縮された高純度オゾン化ガスを吸着塔３および待機部７の内部に封じ切り、任意の時間待機する。
【００２７】
ステップ４（Ｓ０４）の供給工程では、高純度オゾン化ガスをオゾン供給部９から供給する。
【００２８】
ステップ５（Ｓ０５）では、運転を継続するか否かの判定を行い、運転継続する場合は、ステップ１（Ｓ０１）の吸着工程に戻る。運転継続しない場合は、オゾン供給装置１００の運転を終了する。
【００２９】
ここで、比較例のオゾン供給装置の一般的構成について、図３に基づいて説明する。
比較例のオゾン供給装置は、原料ガス源１、オゾン発生器２、吸着塔３、低温冷媒循環器５を備え、濃縮したオゾン化ガスを供給対象１１に供給する。
原料ガス源１からオゾン発生器２に導入され、オゾン化されたオゾン化ガスは、吸着剤４が充填された吸着塔３へと導入され、オゾン化ガス中のオゾンが吸着剤４表面に吸着される。低温冷媒循環器５は低温冷媒６を循環させ、吸着塔３を冷却することで吸着剤４の温度を低温に維持している。吸着工程において、バルブＶ１およびバルブＶ３は開状態、バルブＶ２は閉状態であり、所定量のオゾンが吸着剤に吸着されると、オゾン発生を停止する。オゾンを供給対象１１に供給する際には、バルブＶ１およびバルブＶ３は閉状態、バルブＶ２を開状態とし、吸着塔３内の吸着剤４からオゾンを脱着させることで、高純度オゾン化ガスを間欠的に供給する。
【００３０】
ここで、オゾンを脱着させる代表的な方法として、吸着塔３を減圧する方法と、吸着塔３を昇温する方法とがある。
比較例のオゾン供給装置によれば、オゾン発生器２を連続運転する必要がないため電力消費および原料ガス消費を抑制できるとともに、オゾン発生器単体では生成できない高い純度（純度５０％以上）のオゾン化ガスを供給することが可能である。
しかし、比較例のオゾン供給装置においては、オゾン需要が生じてからオゾンの脱着を開始するため、供給対象１１からのオゾン要求に対して即時にオゾンを供給することができないという問題があった。
【００３１】
本実施の形態１のオゾン供給装置１００は、単に待機部７および待機工程を有するだけでなく、吸着塔３を減圧する濃縮工程とオゾン供給工程との間に待機工程を設けることが重要である。従来の濃縮オゾン化ガス供給装置では、待機時のオゾン自己分解反応に着目していなかったため、待機工程の順序が適切に設定されていなかった。また、減圧装置８は濃縮工程および供給工程のいずれにおいても運転する必要があるため、濃縮工程と供給工程を連続して行うのが一般的であった。
これに対し本発明では、待機部７を減圧装置８の直前に設置し、濃縮工程を経た後の高純度オゾン化ガスを待機部７に待機させることで、供給対象１１からオゾン要求を受けてから高純度オゾンを供給するまでの時間差を低減するとともに、待機工程におけるオゾンの自己分解を大幅に抑制することができる。
【００３２】
実施の形態１のオゾン供給装置１００において、待機部７を設置し、濃縮工程の後に待機工程を設けた効果について、図４、５の工程概要図に基づいて説明する。
実施の形態１のオゾン供給装置１００の吸着工程、濃縮工程、待機工程、供給工程の各工程における吸着塔３内圧力、オゾン純度、およびオゾン分圧の時間変化の例を図４に示す。
図４において、Ａは吸着塔３内の圧力を表し、Ｂはオゾン要求信号を表している。Ｃは吸着塔３内のオゾン純度を表し、Ｄは吸着塔３内のオゾン分圧を表し、Ｅは待機時のオゾン分解量を表している。なお、待機時のオゾン分解量（Ｅ）は、待機工程の開始時と終了時の吸着塔３内のオゾン分圧の差に相当する。
濃縮工程の前に待機工程を設けた比較例のオゾン供給装置における、吸着塔３内の圧力、オゾン純度、およびオゾン分圧の時間変化の例を図５に示す。
図５において、Ａは吸着塔３内の圧力を表し、Ｂはオゾン要求信号を表している。Ｃは吸着塔３内のオゾン純度を表し、Ｄは吸着塔３内のオゾン分圧を表し、Ｅは待機時のオゾン分解量を表している。図５においても、待機時のオゾン分解量（Ｅ）は、待機工程の開始時と終了時の吸着塔３内のオゾン分圧の差に相当する。
【００３３】
実施の形態１のオゾン供給装置１００では、図４に示すように、濃縮工程を終えた吸着塔３内のオゾン化ガスは高オゾン純度となっているため、待機工程でこの高オゾン純度を維持することで、供給工程への移行時には即時に高純度オゾン化ガスを供給できる。また、待機工程において吸着塔３は減圧されており、吸着工程時に比べてオゾン純度は高いがオゾン分圧は低い状態となっている。なお、待機工程においては、吸着塔３と同様に待機部７も減圧されている。
一方、比較例のオゾン供給装置では、図５に示すように、待機工程時に吸着塔３内オゾン純度は低いがオゾン分圧は高い状態となっている。このため、オゾンの供給要求が発生した際に濃縮工程を実施するため時間の遅延が生じる。また、待機時のオゾン自己分解に起因する無効消費が大きいことが、図４、５の待機時のオゾン分解量（Ｅ）の差から明らかである。
【００３４】
以上説明のように、実施の形態１のオゾン供給装置１００では、オゾンの自己分解反応が抑制され、生成したオゾンを効率的に利用できる。以下に、オゾン自己分解反応の抑制効果について記述する。
【００３５】
まず、オゾン自己分解反応とオゾン自己分解反応速度について説明する。
オゾン自己分解反応とは、オゾンが処理対象と反応する前にオゾン同士で反応して酸素分子に戻ってしまう現象であり、オゾン自己分解反応が起こると生成したオゾンの利用効率が低下する。
【００３６】
気相中のオゾン自己分解反応は、オゾン（Ｏ３）、酸素分子（Ｏ２）、酸素原子（Ｏ）等による複数の素反応から構成されるが、総合的には式１で表される。
Ｏ３＋Ｏ３→３Ｏ２                （式１）
式１の反応速度係数ｋＲの報告例は少ないが、「ＮＩＳＴ  Ｃｈｅｍｉｃａｌ  Ｋｉｎｅｔｉｃｓ  Ｄａｔａｂａｓｅ，  Ｓｔａｎｄａｒｄ  Ｒｅｆｅｒｅｎｃｅ  Ｄａｔａｂａｓｅ  １７，  Ｖｅｒｓｉｏｎ  ７．０  （Ｗｅｂ  Ｖｅｒｓｉｏｎ）  Ｒｅｌｅａｓｅ  １．６．８  ｈｔｔｐ：／／ｋｉｎｅｔｉｃｓ．ｎｉｓｔ．ｇｏｖ／ｋｉｎｅｔｉｃｓ／」では温度をＴ［Ｋ］として
ｋＲ＝７．４７×１０−１２×ｅｘｐ（−９３１０／Ｔ）［ｃｍ６／ｓ］（式２）
と報告されている。
オゾン自己分解反応速度ｖＲは、オゾン分圧をＣｏｚ［／ｃｍ３］として、
ｖＲ＝ｋＲ×Ｃｏｚ２［／ｓ］      （式３）
と表される。即ち、オゾン純度が同じであっても、高温であるほど、また、オゾン分圧が高いほど、自己分解反応は速くなる。
【００３７】
例えば、オゾン純度１０％の場合、２気圧におけるオゾン分圧は、大気圧下でのオゾン分圧の２倍であるから、２気圧におけるオゾン自己分解反応速度は大気圧下でのオゾン自己分解反応速度の４倍となる。ここで、吸着塔を昇温した状態で待機させると、吸着工程に比べて待機工程における吸着塔内の温度が高くなり、オゾン自己分解が速く進行してしまうため、生成したオゾンの利用効率が低下してしまう。
【００３８】
次に、実施の形態１のオゾン供給装置１００におけるオゾン自己分解反応速度を計算して、比較例のオゾン供給装置に対する効果を具体的に説明する。
まず、比較例のオゾン供給装置を例にとり、待機時のオゾン自己分解速度を計算する。比較例では、オゾン脱着を開始せずに待機工程に入り、待機工程における温度は０℃、オゾン純度は大気圧で、３５ｗｔ％＝２６ｖｏｌ％以上である。このとき、オゾン分圧はＣｏｚ＝７．０９×１０１８［／ｃｍ３］であるから、式３より、オゾン自己分解速度はｖＲ＝３．５７×１０１１［／ｓ］  となる。
【００３９】
一方で、実施の形態１のオゾン供給装置１００では、例えば−１５℃においてオゾン純度９．３ｖｏｌ％で吸着を行った場合、吸着塔３内圧力を絶対圧で２０ｋＰａまで減圧することで、４７ｖｏｌ％のオゾン純度が得られる。
オゾン供給装置１００では、吸着塔３を減圧してオゾンを脱着させた状態で待機工程に移行するので、待機工程におけるオゾン分圧はＣｏｚ＝２．７６×１０１８［／ｃｍ３］である。また、濃縮工程および待機工程において吸着塔３および待機部７を昇温しないため、吸着塔３および待機部７の温度は−１５℃以下であり、オゾン自己分解速度はｖＲ＝７．２６×１０９［／ｓ］以下となる。即ち、比較例のオゾン供給装置のように高温かつ高オゾン分圧で待機工程に移行する場合のオゾン自己分解速度に比べ、実施の形態１のオゾン供給装置１００では、待機工程におけるオゾン自己分解速度はおよそ１／５０程度になり、待機工程中でのオゾン消費が大幅に抑制される。
【００４０】
以上説明したように、実施の形態１のオゾン供給装置１００では、オゾン化ガスを高オゾン純度にした状態で待機させる待機部７を設ける、またオゾン供給方法では、オゾン化ガスを高オゾン純度にした状態で待機させる待機工程を設けている。このため、供給対象１１でオゾン要求が発生した際には、即時に高純度オゾン化ガスを供給することができる。さらに、待機工程において吸着塔３および待機部７が減圧状態に維持され、オゾンの自己分解速度が低減されることで、待機中のオゾン消費が抑制され、オゾン利用効率が向上する。
【００４１】
次に、実施の形態１のオゾン供給装置１００とは異なる構成のオゾン供給装置について、順次説明する。
まず、図６に系統概略図を示すオゾン供給装置１０１について説明する。
オゾン供給装置１００との違いは、待機部７を低温冷媒６により冷却している点である。このように待機部７を低温冷媒６により冷却することで、待機工程における待機部７の温度が吸着塔３の温度と同等の低温になり、待機部７内でのオゾン自己分解速度が低減される。このため、貯蔵したオゾンの利用効率が向上する。
図６のオゾン供給装置１０１では、低温冷媒６は待機部７、吸着塔３の順で流れているが、流れる方向は逆順でもよく、また吸着塔３と待機部７とを並列に冷却してもよい。
【００４２】
次に、図７に系統概略図を示すオゾン供給装置１０２について説明する。
オゾン供給装置１００との違いは、吸着塔３が待機部７の機能を併せ持つ点である。
濃縮工程において吸着塔３が減圧され、吸着塔３内の圧力が予め設定した値を下回ると、制御部１０はバルブＶ２を閉状態として、吸着塔３を封じ切り待機工程に移行する。待機工程においては、吸着塔３内は減圧状態となっているため、オゾン自己分解速度を小さく維持できる。
このように吸着塔３が待機部７の機能を併せ持つ構成にすれば、オゾン供給装置１００に比較して、供給対象１１からオゾン要求を受けて高純度オゾンを供給する応答性は若干低下する。しかし、待機部７およびバルブＶ４が省略されるため、オゾン供給装置に必要な部材が少なくなるとともに、制御部１０によるバルブ制御が簡略化される。
【００４３】
次に、図８に系統概略図を示すオゾン供給装置１０３について説明する。
オゾン供給装置１００との違いは、吸着工程において吸着塔３から排気されるガスを再びオゾン発生器２に循環導入させる経路を有する点である。
吸着工程において吸着塔３から排出されたオゾン化ガス（以降、排出ガスと記載する）は、バルブＶ３を経てオゾン分解塔２１に導入される。吸着剤４に吸着されなかったオゾン化ガス中のオゾンはオゾン分解塔２１において分解され、酸素となる。
排出ガスは酸素を含むため、原料ガスとして再利用可能である。したがって、オゾン分解塔２１を通過した排出ガスは、ガス圧縮器２２で昇圧された後、原料ガスとしてオゾン発生器２に再導入される。
このように吸着塔３から排気される排出ガスを再びオゾン発生器２に循環導入させる構成にすれば、原料ガスの再利用がなされるため、オゾン製造コストが低減される。
吸着工程においてオゾン化ガス中のオゾンが吸着剤４に全量吸着され、吸着塔から排出されるガスにオゾンが含まれない場合、オゾン分解塔２１は省略してもよい。
【００４４】
次に、図９に系統概略図を示すオゾン供給装置１０４について説明する。
オゾン供給装置１００との違いは、原料ガス源１からオゾン発生器２を介さずに吸着塔３へ原料ガスを供給する分岐経路と、分岐経路における原料ガスの流量を制御する流量制御器２３とを有する点である。
オゾン供給装置から出力するオゾン化ガス中のオゾン純度は、供給工程時の吸着塔３内の圧力と一対一に対応している。しかし、減圧装置８またはオゾン供給部９が圧力調整機能を有さない場合、供給工程においては常に最大オゾン純度のオゾン化ガスが出力される。
オゾン供給装置１０４では、オゾン供給工程において吸着塔３内に原料ガスを導入し、原料ガスの流量を変化させることで、吸着塔３内圧力を調整し、吸着剤４から脱着させるオゾン化ガス中のオゾン純度を制御できる。
オゾン供給装置１０４の構成にすれば、減圧装置８およびオゾン供給部９が圧力調整機能を有さない場合でも、最大発生オゾン純度以下で所望の純度のオゾン化ガスを供給対象１１へ供給できる。
【００４５】
以上説明したように、実施の形態１のオゾン供給装置１００は、オゾン発生器と、内部に吸着剤が充填された吸着塔と、オゾン化ガスを待機させる待機部と、減圧装置と、オゾン化ガスを供給するオゾン供給部と、吸着剤を冷却する低温冷媒循環器と、オゾン化ガスを吸着剤に吸着させ、吸着剤に吸着させたオゾン化ガスを脱着させて濃縮する制御部とを備え、待機部はオゾン化ガスを高オゾン純度にした状態で待機させる。また、オゾン供給方法は、吸着工程と、濃縮工程と、待機工程と、供給工程とを備え、待機工程はオゾン化ガスを高オゾン純度にした状態で待機させる。
このため、実施の形態１のオゾン供給装置およびオゾン供給方法は、供給対象でオゾン要求が発生した際には、即時に高純度オゾン化ガスを供給することができる。さらに、待機工程において吸着塔および待機部が減圧状態に維持され、オゾンの自己分解速度が低減されることで、待機中のオゾン消費が抑制され、オゾン利用効率が向上する。
【００４６】
実施の形態２．
実施の形態２のオゾン供給装置は、実施の形態１のオゾン供給装置１００に圧力計を追加して、吸着塔３および待機部７内の圧力を制御する構成としたものである。
【００４７】
以下、実施の形態２のオゾン供給装置について、構成を示す系統概略図である図１０および吸着塔内圧力とオゾン純度の関係を示す特性図である図１１に基づいて、実施の形態１との差異を中心に説明する。図１０において、実施の形態１の図１と同一あるいは相当部分は、同一の符号を付している。
【００４８】
実施の形態２のオゾン供給装置の基本的な構成は実施の形態１のオゾン供給装置１００と同様であるが、オゾン供給装置２００においては吸着塔３の後段に圧力計２０４が設けられている。圧力計２０４は、濃縮工程における吸着塔３後段の圧力を測定し、測定結果を制御部１０に送信する。
制御部１０は、濃縮工程において圧力計２０４の測定値が、予め設定した圧力値を下回ったことを条件として、待機工程への移行指令を出力する。
【００４９】
ここで、発明者らは、濃縮工程および供給工程において吸着塔３から出力されるオゾン化ガス中のオゾン純度が、吸着塔３内温度に依存せず、吸着塔３内圧力に一意に依存することを見出した。
図１１は、吸着塔３内温度を変化させた場合の、供給オゾン化ガス中オゾン純度の吸着塔３内圧力依存性を示しており、この依存性が吸着塔３内温度によって変化しないことを明確に示している。なお、図１１の横軸は吸着塔内の圧力（任意単位）であり、縦軸は吸着塔出口のオゾン密度（任意単位）である。
【００５０】
上記の結果より、所望のオゾン純度に対応する圧力値を予め設定しておくことで、吸着塔３の温度が変化しても、所望のオゾン純度で待機工程に移行することが可能であることがわかる。このため、圧力値を参照して吸着塔３内オゾン純度を制御することにより、高速な制御が可能となる。
本実施の形態２において、オゾン供給装置１０１（図６）のように待機部７を低温冷媒６で冷却してもよい。またオゾン供給装置１０２（図７）のように吸着塔３が待機部７の機能を兼ね備えてもよい。またオゾン供給装置１０３（図８）のように酸素リサイクル機構を備えてもよい。またオゾン供給装置１０４（図９）のようにオゾン純度調整用原料ガス導入ラインを設けてもよい。
【００５１】
以上説明したように、実施の形態２のオゾン供給装置は、実施の形態１のオゾン供給装置に圧力計を追加して、吸着塔および待機部内の圧力を制御する構成としたものである。したがって、実施の形態１のオゾン供給装置と同様に、供給対象でオゾン要求が発生した際には、即時に高純度オゾン化ガスを供給することができ、待機中のオゾン消費が抑制され、オゾン利用効率を向上させることができる。さらに、圧力を参照して工程制御することで、高速な制御応答性を得ることができる。
【００５２】
実施の形態３．
実施の形態３のオゾン供給装置は、実施の形態１のオゾン供給装置１００にオゾン計を追加して、吸着塔３および待機部７内のオゾン純度およびオゾン分圧を制御する構成としたものである。
【００５３】
以下、実施の形態３のオゾン供給装置について、構成を示す系統概略図である図１２に基づいて、実施の形態１との差異を中心に説明する。図１２において、実施の形態１の図１と同一あるいは相当部分は、同一の符号を付している。
【００５４】
実施の形態３のオゾン供給装置３００の基本的な構成は実施の形態１のオゾン供給装置１００と同様であるが、オゾン供給装置３００においては吸着塔３の後段にオゾン計２４が設けられている。
オゾン計２４は、濃縮工程における吸着塔３内のオゾン純度およびオゾン分圧を測定し、測定結果を制御部１０に送信する。
【００５５】
制御部１０は、以下の２つの条件を両方満たした際に待機工程への移行を可能とする。
（条件１）濃縮工程における吸着塔３内のオゾン純度が、予め設定した目標オゾン純度以上の純度に到達している。
（条件２）濃縮工程における吸着塔３内のオゾン分圧が、吸着工程における吸着塔３内のオゾン分圧よりも低い。
（条件１）を満たした場合、待機工程から供給工程への移行時に即時に高純度オゾン化ガスを供給できる。また、（条件２）を満たした場合、待機工程中でのオゾン自己分解が抑制される。
【００５６】
制御部１０において、濃縮工程から待機工程への移行可能条件として、オゾン純度およびオゾン分圧の値をそれぞれ設定できる。オゾン純度およびオゾン分圧の移行可能条件を設定することで、濃縮工程から待機工程への移行時のオゾン分圧を制御することが可能となり、所望の程度でオゾンの自己分解抑制効果を得られる。
なお、実施の形態３のオゾン供給装置３００では、オゾン純度およびオゾン分圧の２つの条件を満たした場合、待機工程への移行を可能としたが、いずれか一方の条件を満たした場合、待機工程への移行を可能とすることもできる。
【００５７】
本実施の形態３において、オゾン供給装置１０１（図６）のように待機部７を低温冷媒６で冷却してもよい。またオゾン供給装置１０２（図７）のように吸着塔３が待機部７の機能を兼ね備えてもよい。またオゾン供給装置１０３（図８）のように酸素リサイクル機構を備えてもよい。またオゾン供給装置１０４（図９）のようにオゾン純度調整用原料ガス導入ラインを設けてもよい。
【００５８】
以上説明したように、実施の形態３のオゾン供給装置は、実施の形態１のオゾン供給装置にオゾン計を追加して、吸着塔および待機部内のオゾン純度およびオゾン分圧を制御する構成としたものである。したがって、実施の形態１のオゾン供給装置と同様に、供給対象でオゾン要求が発生した際には、即時に高純度オゾン化ガスを供給することができ、待機中のオゾン消費が抑制され、オゾン利用効率を向上させることができる。さらに、オゾン自己分解速度を任意に制御でき、所望のオゾン利用効率向上効果を得られる。
【００５９】
実施の形態４．
実施の形態４のオゾン供給装置は、実施の形態１のオゾン供給装置１００に温度計と低温冷媒の温度を制御するための冷媒温度制御部を追加したものである。
【００６０】
以下、実施の形態４のオゾン供給装置について、構成を示す系統概略図である図１３に基づいて、実施の形態１との差異を中心に説明する。図１３において、実施の形態１の図１と同一あるいは相当部分は、同一の符号を付している。
【００６１】
実施の形態４のオゾン供給装置４００の基本的な構成は実施の形態１のオゾン供給装置１００と同様であるが、オゾン供給装置４００においては、吸着塔３内の温度を測定する温度計２５と、低温冷媒６の温度を制御するための冷媒温度制御部２６が設けられている。制御部１０は、温度計２５および冷媒温度制御部２６を用いて、吸着塔３内の温度を制御する。
【００６２】
本実施の形態４においては、待機工程における吸着塔３内の温度を、吸着工程における吸着塔３内の温度以下の温度に設定する。これにより、待機工程における式２で表されるオゾンの自己分解速度係数が低減され、オゾン自己分解が抑制される。実際には、オゾンおよび原料ガス種が吸着剤４から脱着する際に、気化熱を吸着剤４および周囲のガスから奪うため、濃縮工程において吸着塔３内は自然に冷却されるので、低温冷媒６に必要な冷熱は極少量であると考えられる。
【００６３】
好ましくは、待機工程における吸着塔３の冷却の有無によるオゾン分解量の差を計算し、冷却に必要な電力コストと、オゾン分解量の差に相当するオゾン製造コストを比較して、冷却のための電力コストがオゾン製造コストよりも小さくなるように、待機工程における吸着塔３の温度を設定するとよい。
【００６４】
本実施の形態４において、オゾン供給装置１０１（図６）のように待機部７を低温冷媒６で冷却してもよい。またオゾン供給装置１０２（図７）のように吸着塔３が待機部７の機能を兼ね備えてもよい。またオゾン供給装置１０３（図８）のように酸素リサイクル機構を備えてもよい。またオゾン供給装置１０４（図９）のようにオゾン純度調整用原料ガス導入ラインを設けてもよい。
【００６５】
以上説明したように、実施の形態４のオゾン供給装置は、実施の形態１のオゾン供給装置に温度計と低温冷媒の温度を制御するための冷媒温度制御部を追加したものである。したがって、実施の形態１のオゾン供給装置と同様に、供給対象でオゾン要求が発生した際には、即時に高純度オゾン化ガスを供給することができ、待機中のオゾン消費が抑制され、オゾン利用効率を向上させることができる。さらに、待機中のオゾンの自己分解速度係数を低減し、オゾン自己分解を抑制することができる。
【００６６】
実施の形態５．
実施の形態５のオゾン供給装置は、実施の形態１のオゾン供給装置１００に供給対象と制御部との間で信号授受をするための通信部を追加したものである。
【００６７】
以下、実施の形態５のオゾン供給装置について、構成を示す系統概略図である図１４に基づいて、実施の形態１との差異を中心に説明する。図１４において、実施の形態１の図１と同一あるいは相当部分は、同一の符号を付している。
【００６８】
実施の形態５のオゾン供給装置５００の基本的な構成は実施の形態１のオゾン供給装置１００と同様であるが、オゾン供給装置５００においては、供給対象１１と制御部１０との間で信号授受をするための通信部２７が設けられている。さらに、減圧装置８とオゾン供給部９とを接続するガス流路にはバルブＶ５が設けられている。
【００６９】
制御部１０は、予め吸着工程および濃縮工程を完了させ、待機工程に移行した状態で、オゾン要求信号を待機する。供給対象１１はオゾンが必要となった段階でオゾン要求信号を出力し、オゾン要求信号は通信部２７を通じて制御部１０に入力される。
オゾン要求信号を受信した制御部１０は減圧装置８の動作を開始させると同時にバルブＶ４およびＶ５を開状態とし、高純度オゾンを供給対象１１に供給する。
【００７０】
また、バルブＶ５の後段にオゾン排出バルブを備え、濃縮工程において減圧装置から排出されたオゾン化ガスをオゾン排出バルブより排出してもよい。この場合、濃縮工程において設定純度以下のオゾン化ガスをオゾン排出バルブより排出させることができる。このため、設定純度以下のオゾン化ガスを供給対象１１に供給することがなくなり、安定した純度のオゾン化ガスを供給対象１１に供給することができる。
【００７１】
本実施の形態５において、オゾン供給装置１０１（図６）のように待機部７を低温冷媒６で冷却してもよい。またオゾン供給装置１０２（図７）のように吸着塔３が待機部７の機能を兼ね備えてもよい。またオゾン供給装置１０３（図８）のように酸素リサイクル機構を備えてもよい。またオゾン供給装置１０４（図９）のようにオゾン純度調整用原料ガス導入ラインを設けてもよい。
【００７２】
以上説明したように、実施の形態５のオゾン供給装置は、実施の形態１のオゾン供給装置に供給対象と制御部との間で信号授受をするための通信部を追加したものである。したがって、実施の形態１のオゾン供給装置と同様に、供給対象でオゾン要求が発生した際には、即時に高純度オゾン化ガスを供給することができ、待機中のオゾン消費が抑制され、オゾン利用効率を向上させることができる。さらに、供給対象においてオゾン処理の負荷が急激に変動し、急にオゾン需要が生じた場合でも、高純度のオゾンを即時に供給できる効果を得られる。
【００７３】
実施の形態６．
実施の形態６のオゾン供給装置は、複数の供給対象にオゾン化ガスを供給することを想定し、待機部７を複数並列に備えたものである。
以下、実施の形態７のオゾン供給装置について、構成を示す系統概略図である図１５に基づいて、実施の形態１との差異を中心に説明する。図１５において、実施の形態１の図１と同一あるいは相当部分は、同一の符号を付している。
【００７４】
実施の形態６のオゾン供給装置６００の基本的な構成は実施の形態１のオゾン供給装置１００と同様であるが、オゾン供給装置６００においては、２つの待機部（第一待機部７Ａ、第二待機部７Ｂ）および２つの減圧装置（第一減圧装置８Ａ、第二減圧装置８Ｂ）を並列に備えている。
オゾン供給装置６００では、吸着塔３と第二待機部７Ｂとを接続するガス流路にはバルブＶ６が、第二待機部７Ｂと第二減圧装置８Ｂとを接続するガス流路にはバルブＶ７が、第一減圧装置８Ａとオゾン供給部９とを接続するガス流路にはバルブＶ８が、第二減圧装置８Ｂとオゾン供給部９とを接続するガス流路にはバルブＶ９が設けられている。さらに、第一減圧装置８Ａの出口にはガスを系外に排出するバルブＶ１０が、第二減圧装置８Ｂの出口にはガスを系外に排出するバルブＶ１１が設けられている。
オゾン供給装置６００では、制御部１０が各バルブＶ１〜Ｖ４、Ｖ６〜Ｖ１１の制御を行うことで、高純度オゾン化ガスを供給対象１１に供給する。
【００７５】
２つの待機部（第一待機部７Ａ、第二待機部７Ｂ）および２つの減圧装置（第一減圧装置８Ａ、第二減圧装置８Ｂ）を備えたオゾン供給装置６００は、吸着工程で貯蔵したオゾンを、第一減圧装置８Ａを用いて第一待機部７Ａに待機させる。その後、所望のタイミングでバルブＶ３およびバルブＶ１０を閉、バルブＶ８を開とし高純度オゾン化ガスを供給対象１１に供給する。
待機部７Ａから高純度オゾン化ガスを供給している間に、吸着塔３にオゾンを貯蔵した後、第二減圧装置８Ｂを用いて第二待機部７Ｂに高純度オゾン化ガスを待機させる。第一待機部７Ａからの高純度オゾン化ガス供給が完了した後に、バルブＶ６、Ｖ８、Ｖ１０、Ｖ１１を閉とし、バルブＶ９を開として、待機部７Ｂから供給対象１１に高純度オゾン化ガスを供給する。このようにすれば、供給対象１１に対して連続的に高純度オゾン化ガスを供給することが可能となる。
【００７６】
図１５では第一待機部７Ａと第二待機部７Ｂは同一の供給対象１１に供給しているが、それぞれの待機部（第一待機部７Ａ、第二待機部７Ｂ）が別個の供給対象に供給してもよい。また、待機部が３つ以上ある場合においても、一つの待機部からオゾン化ガスを供給している間に、吸着塔３にオゾンを貯蔵した後に他の待機部にオゾン化ガスを待機させるという動作は同様である。
また、吸着塔３についても、待機部に対応した複数の吸着塔を備えていてもよい。その場合、一つの吸着塔からオゾン化ガスを供給している間に、他の吸着塔にオゾンを貯蔵することができるため、時間的に無駄がない。
【００７７】
実施の形態６では、２つの待機部（第一待機部７Ａ、第二待機部７Ｂ）および２つの減圧装置（第一減圧装置８Ａ、第二減圧装置８Ｂ）を並列に備える構成のオゾン供給装置を説明した。待機部を２つとし、１つの減圧装置を備える構成にしても、バイパスガス流路を設けて、バルブで切り換えることで、供給対象１１に対して連続的に高純度オゾン化ガスを供給することが可能である。
【００７８】
本実施の形態６において、オゾン供給装置１０１（図６）のように待機部７を低温冷媒６で冷却してもよい。またオゾン供給装置１０２（図７）のように吸着塔３が待機部７の機能を兼ね備えてもよい。またオゾン供給装置１０３（図８）のように酸素リサイクル機構を備えてもよい。またオゾン供給装置１０４（図９）のようにオゾン純度調整用原料ガス導入ラインを設けてもよい。
【００７９】
以上説明したように、実施の形態６のオゾン供給装置は、実施の形態１のオゾン供給装置に複数の待機部および減圧装置を追加したものである。したがって、実施の形態１のオゾン供給装置と同様に、供給対象でオゾン要求が発生した際には、即時に高純度オゾン化ガスを供給することができ、待機中のオゾン消費が抑制され、オゾン利用効率を向上させることができる。さらに、供給対象が長時間のオゾン要求を発した場合に、連続的に高純度オゾン化ガスを供給することが可能である。また、供給対象が複数存在する場合にも、それぞれの供給対象に対して任意のタイミングで高純度オゾン化ガスを供給することが可能である。
【００８０】
実施の形態７．
実施の形態７のオゾン供給装置は、実施の形態１のオゾン供給装置１００にオゾン供給間隔またはオゾン供給時間のうち少なくとも一方を記憶する記憶部を追加したものである。
【００８１】
以下、実施の形態７のオゾン供給装置について、構成を示す系統概略図である図１６に基づいて、実施の形態１との差異を中心に説明する。図１６において、実施の形態１の図１と同一あるいは相当部分は、同一の符号を付している。
【００８２】
実施の形態７のオゾン供給装置７００の基本的な構成は実施の形態１のオゾン供給装置１００と同様であるが、オゾン供給装置７００においては、オゾン供給間隔またはオゾン供給時間のうち少なくとも一方を記憶する記憶部２８が設けられている。
【００８３】
記憶部２８は、内部に蓄積されたオゾン供給間隔またはオゾン供給時間のデータを用いて、次回のオゾン供給までの時間間隔を推定し、制御部１０に送信する。あるいは、記憶部２８がオゾン供給間隔またはオゾン供給時間のデータを制御部１０に送信し、制御部１０が次回のオゾン供給までの時間間隔を推定してもよい。
次回のオゾン供給までの時間間隔を得た制御部１０は、次回オゾン供給が開始される予定時間の直前に吸着工程および濃縮工程を終えて待機工程に移行するよう、オゾン発生器２、吸着塔３およびバルブＶ１〜バルブＶ４を制御する。
【００８４】
オゾン供給装置７００（図１６）では、記憶部２８を制御部１０外に設けているが、制御部１０が記憶部２８の機能を兼ね備えてもよい。
また、記憶部２８に、オゾン供給間隔だけでなく供給オゾン純度、供給オゾン化ガス流量、吸着工程時のオゾン化ガス純度、吸着工程時の吸着塔３内圧力等を併せて記憶させておけば、次回オゾン供給においても同様の条件でオゾン化ガスを出力することが容易になり、これらパラメータの調整に要する時間を短縮できる。
【００８５】
本実施の形態７において、オゾン供給装置１０１（図６）のように待機部７を低温冷媒６で冷却してもよい。またオゾン供給装置１０２（図７）のように吸着塔３が待機部７の機能を兼ね備えてもよい。またオゾン供給装置１０３（図８）のように酸素リサイクル機構を備えてもよい。またオゾン供給装置１０４（図９）のようにオゾン純度調整用原料ガス導入ラインを設けてもよい。
【００８６】
以上説明したように、実施の形態７のオゾン供給装置は、実施の形態１のオゾン供給装置にオゾン供給間隔またはオゾン供給時間のうち少なくとも一方を記憶する記憶部を追加したものである。したがって、実施の形態１のオゾン供給装置と同様に、供給対象でオゾン要求が発生した際には、即時に高純度オゾン化ガスを供給することができ、待機中のオゾン消費が抑制され、オゾン利用効率を向上させることができる。さらに、待機工程で待機する時間を短縮できるため、オゾン自己分解量を低減し、オゾン利用効率を向上させることができる。
【００８７】
実施の形態８
実施の形態８のオゾン供給装置は、吸着塔３および待機部７の内部でのオゾン分解を抑制するために、吸着塔３および待機部７の内壁面に表面処理を施したものである。
【００８８】
実施の形態８のオゾン供給装置について、オゾン供給装置の基本構成を示す系統概略図である図１を参照して、実施の形態１との差異を中心に説明する。
【００８９】
実施の形態１のオゾン供給装置１では、待機工程ではオゾン分圧が低い状態であるため、オゾン分圧が高い状態に比べて、気相でのオゾン自己分解は抑制され、吸着塔３および待機部７の壁面でのオゾン分解反応の影響が相対的に増大する。
実施の形態８のオゾン供給装置では、内壁面にオゾン分解を抑制する表面処理を施した吸着塔３および待機部７を備えている。
オゾン分解を抑制する表面処理としては、機械研磨、電界研磨等により表面の凹凸を減ずる処理、およびフッ素樹脂コート、金属酸化物コート等により表面の化学反応性を減ずる処理等が適用できる。
なお、吸着塔３および待機部７いずれか１方の内壁面にのみ表面処理を施すこともできる。
【００９０】
本実施の形態８において、オゾン供給装置１０１（図６）のように待機部７を低温冷媒６で冷却してもよい。またオゾン供給装置１０２（図７）のように吸着塔３が待機部７の機能を兼ね備えてもよい。またオゾン供給装置１０３（図８）のように酸素リサイクル機構を備えてもよい。またオゾン供給装置１０４（図９）のようにオゾン純度調整用原料ガス導入ラインを設けてもよい。
【００９１】
以上説明したように、実施の形態８のオゾン供給装置は、待機工程におけるオゾン分解の抑制を目的とし、実施の形態１のオゾン供給装置１００の吸着塔３および待機部７の内壁面に、オゾン分解を抑制する表面処理を施したものである。したがって、実施の形態１のオゾン供給装置と同様に、供給対象でオゾン要求が発生した際には、即時に高純度オゾン化ガスを供給することができ、待機中のオゾン消費が抑制され、オゾン利用効率を向上させることができる。さらに、待機工程において吸着塔および待機部の内表面でのオゾン分解を抑制し、オゾン利用効率を一層向上させることができる。
【００９２】
実施の形態９．
実施の形態９のオゾン供給装置は、処理対象にオゾン溶液の状態で供給することを想定し、実施の形態１のオゾン供給装置１００に、液体供給部および気液混合装置を備えたものである。
【００９３】
以下、実施の形態９のオゾン供給装置について、構成を示す系統概略図である図１７に基づいて、実施の形態１との差異を中心に説明する。図１７において、実施の形態１の図１と同一あるいは相当部分は、同一の符号を付している。
【００９４】
実施の形態９のオゾン供給装置９００の基本的な構成は実施の形態１のオゾン供給装置１００と同様であるが、オゾン供給装置９００は、処理対象にオゾン溶液の状態で供給することを想定し、液体供給部２９および気液混合装置３０を備えている。
液体としては主に水を使用することが多いが、場合により酸又は水酸化物等のｐＨ調整剤を添加した溶液や、汚泥等を使用する場合もある。
【００９５】
処理対象にオゾン溶液の状態で供給する必要がある処理装置の例としては、上下水処理におけるフィルタや分離膜の洗浄等がある。
気液混合装置３０としては、例えばエジェクタまたは散気管が使用される。
制御部１０は供給対象１１においてオゾン要求が生じると、液体供給部２９を制御して気液混合装置３０に液体を供給する。気液混合準備が整った時点で、制御部１０はバルブＶ２およびバルブＶ４を開状態とし、減圧装置８を用いて吸着塔３および待機部７からオゾン化ガスを吸引し、気液混合装置３０へオゾン化ガスを供給してオゾン溶液３１を生成する。
【００９６】
ここで、気液混合装置３０としてエジェクタまたは散気管を用いる場合、液体の逆流を防ぐため、気液混合装置３０へ供給されるオゾン化ガスは正圧であることが望ましい。
この場合、減圧装置８としては、減圧装置８の一次側（前段）が負圧となり二次側（後段）が正圧となるような真空ポンプ類が適している。ただし、減圧装置８の二次側を正圧にすると、二次側のオゾン化ガスでは高オゾン純度かつ正圧のためオゾン分圧が非常に大きくなり、オゾン自己分解反応が活発になる。このため、減圧装置８と気液混合装置３０とを接続するガス流路はできる限り短くすることが望ましい。
【００９７】
液体供給部２９および気液混合装置３０を設ける構成にすることで、液相でのオゾン処理を必要とする供給対象１１に対しても、オゾン要求に対して即時にオゾン溶液３１を供給でき、また、待機中でのオゾン自己分解が抑制されるためオゾン利用効率が向上する。
【００９８】
本実施の形態９において、オゾン供給装置１０１（図６）のように待機部７を低温冷媒６で冷却してもよい。またオゾン供給装置１０２（図７）のように吸着塔３が待機部７の機能を兼ね備えてもよい。またオゾン供給装置１０３（図８）のように酸素リサイクル機構を備えてもよい。またオゾン供給装置１０４（図９）のようにオゾン純度調整用原料ガス導入ラインを設けてもよい。
【００９９】
以上説明したように、実施の形態９のオゾン供給装置は、処理対象にオゾン溶液の状態で供給することを想定し、実施の形態１のオゾン供給装置１００に、液体供給部および気液混合装置を備えたものである。したがって、実施の形態１のオゾン供給装置と同様に、供給対象でオゾン要求が発生した際には、即時に高純度オゾン化ガスを供給することができ、待機中のオゾン消費が抑制され、オゾン利用効率を向上させることができる。さらに、液相でのオゾン処理を必要とする供給対象に対しても、オゾン要求に対して即時にオゾン溶液を供給できる。
【０１００】
本発明は、その発明の範囲内において、各実施の形態を自由に組み合わせたり、実施の形態を適宜、変形、省略したりすることが可能である。
【産業上の利用可能性】
【０１０１】
この発明は、オゾン要求に対する濃縮オゾン供給の応答性を改善し、オゾン利用効率を向上できるため、オゾンを濃縮および貯蔵するオゾン供給装置およびオゾン供給方法に広く適用できる。
【図１】
2017130523.tif 000003
【図２】
2017130523.tif 000004
【図３】
2017130523.tif 000005
【図４】
2017130523.tif 000006
【図５】
2017130523.tif 000007
【図６】
2017130523.tif 000008
【図７】
2017130523.tif 000009
【図８】
2017130523.tif 000010
【図９】
2017130523.tif 000011
【図１０】
2017130523.tif 000012
【図１１】
2017130523.tif 000013
【図１２】
2017130523.tif 000014
【図１３】
2017130523.tif 000015
【図１４】
2017130523.tif 000016
【図１５】
2017130523.tif 000017
【図１６】
2017130523.tif 000018
【図１７】
2017130523.tif 000019
【手続補正書】
【提出日】平成29年2月28日(2017.2.28)
【手続補正１】
【補正対象書類名】特許請求の範囲
【補正対象項目名】全文
【補正方法】変更
【補正の内容】
【特許請求の範囲】
【請求項１】
オゾン化ガスを生成するオゾン発生器と、
生成した前記オゾン化ガスを内部の吸着剤に吸着させる吸着塔と、
前記吸着塔の前記吸着剤から脱着させた前記オゾン化ガスを待機させる待機部と、
前記吸着塔および前記待機部の圧力を低下させる減圧装置と、
前記脱着させたオゾン化ガスを供給対象に供給するオゾン供給部と、
前記吸着剤を冷却する低温冷媒循環器と、
前記オゾン発生器、前記吸着塔、前記待機部、および前記減圧装置を接続するガス流路のガス流を制御し、生成した前記オゾン化ガスを冷却された前記吸着剤に吸着させ、前記吸着剤に吸着させた前記オゾン化ガスを脱着させてオゾンを濃縮する制御部とを備え、
前記減圧装置は、前記待機部と前記オゾン供給部との間に接続され、
前記制御部は、前記脱着させたオゾン化ガスを前記待機部に待機させる待機状態のときの前記吸着塔内の圧力を、前記吸着のときの前記吸着塔内の圧力よりも低くするオゾン供給装置。
【請求項２】
前記供給対象の前段に前記減圧装置を備え、前記減圧装置により、前記オゾン化ガスを前記供給対象に供給する際、前記供給対象の圧力よりも前記吸着塔内の圧力を低くする請求項１に記載のオゾン供給装置。
【請求項３】
前記吸着塔と前記待機部との間の前記ガス流路に圧力計を備え、前記制御部は、前記吸着塔内の圧力が予め設定した圧力を下回ったことを条件として、前記待機状態に移行させる請求項１または請求項２に記載のオゾン供給装置。
【請求項４】
前記吸着塔と前記待機部との間の前記ガス流路にオゾン計を備え、
前記オゾン計はガス流路内のオゾン分圧を測定し、
前記制御部は、前記吸着において前記オゾン発生器から前記吸着塔に導入される前記オゾン化ガス中のオゾン分圧よりも低い任意のオゾン分圧を工程移行条件として設定し、前記吸着塔内のオゾン分圧が前記工程移行条件として設定したオゾン分圧を下回ったことを条件として、前記待機状態に移行させる請求項１から請求項３のいずれか１項に記載のオゾン供給装置。
【請求項５】
前記吸着塔と前記待機部との間の前記ガス流路にオゾン計を備え、
前記オゾン計は前記ガス流路内のオゾン純度を測定し、
前記制御部は、前記吸着塔内のオゾン純度が予め設定したオゾン純度以上の純度に達したことを条件として、前記待機状態に移行させる請求項１から請求項４のいずれか１項に記載のオゾン供給装置。
【請求項６】
前記吸着塔内の温度を測定する温度計と前記吸着剤の温度を調節する温度調節装置とを備え、
前記制御部は、前記待機状態における前記吸着剤の温度を、前記吸着における前記吸着剤の温度以下の温度にする請求項１から請求項５のいずれか１項に記載のオゾン供給装置。
【請求項７】
前記供給対象と前記制御部との間で信号の授受を行うための通信部を設け、前記供給対象でオゾン要求が発生した場合、
前記制御部は、前記オゾン要求を受信し、前記減圧装置および前記ガス流を制御し、前記供給対象に前記オゾン化ガスを供給する請求項１から請求項６のいずれか１項に記載のオゾン供給装置。
【請求項８】
前記待機部を複数並列に備え、１つまたは複数の前記供給対象に対して前記濃縮したオゾン化ガスを供給する請求項１から請求項７のいずれか１項に記載のオゾン供給装置。
【請求項９】
オゾン供給間隔またはオゾン供給時間のうち少なくとも一方を記憶する記憶部を備え、
前記制御部は、前記記憶部に蓄積されたオゾン供給データを用いて次回のオゾン供給時期を推定し、前記オゾン供給時期の直前に前記吸着および前記濃縮が完了するように前記オゾン発生器および前記ガス流を制御する請求項１から請求項８のいずれか１項に記載のオゾン供給装置。
【請求項１０】
前記吸着塔および前記待機部の両方またはいずれか一方の内壁面は、オゾン分解を抑制する処理を施した請求項１から請求項９のいずれか１項に記載のオゾン供給装置。
【請求項１１】
前記オゾン供給部は、液体供給部と気液混合装置とを備え、
前記濃縮した前記オゾン化ガスを、前記気液混合装置を用いて液体に溶解させてオゾン溶液を生成し、前記オゾン溶液を前記供給対象に供給する請求項１から請求項１０のいずれか１項に記載のオゾン供給装置。
【請求項１２】
オゾン発生器と、内部に吸着剤が充填された吸着塔と、オゾン化ガスを待機させる待機部と、前記オゾン化ガスを供給するオゾン供給部と、前記待機部と前記オゾン供給部との間に接続された減圧装置と、前記吸着剤を冷却する低温冷媒循環器と、を備えたオゾン供給装置を用い、
前記オゾン発生器で発生したオゾン化ガスを、前記吸着塔に導入し、冷却された前記吸着剤に前記オゾン化ガスを吸着する吸着工程と、
前記減圧装置で前記吸着塔を減圧して前記吸着塔内のガス中オゾン純度を高める濃縮工程と、
濃縮された高純度オゾン化ガスを減圧された前記吸着塔および前記待機部の内部に封じ切り、待機する待機工程と、
前記高純度オゾン化ガスを供給する供給工程と、
を備えたオゾン供給方法。
【手続補正２】
【補正対象書類名】明細書
【補正対象項目名】０００６
【補正方法】変更
【補正の内容】
【０００６】
この発明に係るオゾン供給装置は、オゾン化ガスを生成するオゾン発生器と、生成したオゾン化ガスを内部の吸着剤に吸着させる吸着塔と、吸着塔の吸着剤から脱着させたオゾン化ガスを待機させる待機部と、吸着塔および待機部の圧力を低下させる減圧装置と、脱着させたオゾン化ガスを供給対象に供給するオゾン供給部と、吸着剤を冷却する低温冷媒循環器と、オゾン発生器、吸着塔、待機部、および減圧装置を接続するガス流路のガス流を制御し、生成したオゾン化ガスを冷却された吸着剤に吸着させ、吸着剤に吸着させたオゾン化ガスを脱着させてオゾンを濃縮する制御部とを備え、減圧装置は、待機部とオゾン供給部との間に接続され、制御部は、脱着させたオゾン化ガスを待機部に待機させる待機状態のときの吸着塔内の圧力を、吸着のときの吸着塔内の圧力よりも低くするものである。
【手続補正３】
【補正対象書類名】明細書
【補正対象項目名】０００７
【補正方法】変更
【補正の内容】
【０００７】
この発明に係るオゾン供給方法は、オゾン発生器と、内部に吸着剤が充填された吸着塔と、オゾン化ガスを待機させる待機部と、オゾン化ガスを供給するオゾン供給部と、待機部とオゾン供給部との間に接続された減圧装置と、吸着剤を冷却する低温冷媒循環器と、を備えたオゾン供給装置を用い、オゾン発生器で発生したオゾン化ガスを、吸着塔に導入し、冷却された吸着剤にオゾン化ガスを吸着する吸着工程と、減圧装置で吸着塔を減圧して吸着塔内のガス中オゾン純度を高める濃縮工程と、濃縮された高純度オゾン化ガスを吸着塔および待機部の内部に封じ切り、待機する待機工程と、高純度オゾン化ガスを供給する供給工程と、を備えたものである。
【手続補正書】
【提出日】平成29年6月8日(2017.6.8)
【手続補正１】
【補正対象書類名】特許請求の範囲
【補正対象項目名】全文
【補正方法】変更
【補正の内容】
【特許請求の範囲】
【請求項１】
オゾン化ガスを生成するオゾン発生器と、
生成した前記オゾン化ガスを内部の吸着剤に吸着させる吸着塔と、
前記吸着塔の前記吸着剤から脱着させた前記オゾン化ガスを待機させる待機部と、
前記吸着塔および前記待機部の圧力を低下させる減圧装置と、
前記脱着させたオゾン化ガスを供給対象に供給するオゾン供給部と、
前記吸着剤を冷却する低温冷媒循環器と、
前記オゾン発生器、前記吸着塔、前記待機部、および前記減圧装置を接続するガス流路のガス流を制御し、生成した前記オゾン化ガスを冷却された前記吸着剤に吸着させ、前記吸着剤に吸着させた前記オゾン化ガスを脱着させてオゾンを濃縮する制御部とを備え、
前記減圧装置は、前記待機部と前記オゾン供給部との間に接続され、
前記制御部は、前記脱着させたオゾン化ガスを前記待機部に待機させる待機状態のときの前記吸着塔内の圧力を、前記吸着のときの前記吸着塔内の圧力よりも低くするオゾン供給装置。
【請求項２】
前記供給対象の前段に前記減圧装置を備え、前記減圧装置により、前記オゾン化ガスを前記供給対象に供給する際、前記供給対象の圧力よりも前記吸着塔内の圧力を低くする請求項１に記載のオゾン供給装置。
【請求項３】
前記吸着塔と前記待機部との間の前記ガス流路に圧力計を備え、前記制御部は、前記吸着塔内の圧力が予め設定した圧力を下回ったことを条件として、前記待機状態に移行させる請求項１または請求項２に記載のオゾン供給装置。
【請求項４】
前記吸着塔と前記待機部との間の前記ガス流路にオゾン計を備え、
前記オゾン計はガス流路内のオゾン分圧を測定し、
前記制御部は、前記吸着において前記オゾン発生器から前記吸着塔に導入される前記オゾン化ガス中のオゾン分圧よりも低い所定のオゾン分圧を工程移行条件として設定し、前記吸着塔内のオゾン分圧が前記工程移行条件として設定したオゾン分圧を下回ったことを条件として、前記待機状態に移行させる請求項１から請求項３のいずれか１項に記載のオゾン供給装置。
【請求項５】
前記吸着塔と前記待機部との間の前記ガス流路にオゾン計を備え、
前記オゾン計は前記ガス流路内のオゾン純度を測定し、
前記制御部は、前記吸着塔内のオゾン純度が予め設定したオゾン純度以上の純度に達したことを条件として、前記待機状態に移行させる請求項１から請求項４のいずれか１項に記載のオゾン供給装置。
【請求項６】
前記吸着塔内の温度を測定する温度計と前記吸着剤の温度を調節する温度調節装置とを備え、
前記制御部は、前記待機状態における前記吸着剤の温度を、前記吸着における前記吸着剤の温度以下の温度にする請求項１から請求項５のいずれか１項に記載のオゾン供給装置。
【請求項７】
前記供給対象と前記制御部との間で信号の授受を行うための通信部を設け、前記供給対象でオゾン要求が発生した場合、
前記制御部は、前記オゾン要求を受信し、前記減圧装置および前記ガス流を制御し、前記供給対象に前記オゾン化ガスを供給する請求項１から請求項６のいずれか１項に記載のオゾン供給装置。
【請求項８】
前記待機部を複数並列に備え、１つまたは複数の前記供給対象に対して前記濃縮したオゾン化ガスを供給する請求項１から請求項７のいずれか１項に記載のオゾン供給装置。
【請求項９】
オゾン供給間隔またはオゾン供給時間のうち少なくとも一方を記憶する記憶部を備え、
前記制御部は、前記記憶部に蓄積されたオゾン供給データを用いて次回のオゾン供給時期を推定し、前記オゾン供給時期の直前に前記吸着および前記濃縮が完了するように前記オゾン発生器および前記ガス流を制御する請求項１から請求項８のいずれか１項に記載のオゾン供給装置。
【請求項１０】
前記吸着塔および前記待機部の両方またはいずれか一方の内壁面は、オゾン分解を抑制する処理を施した請求項１から請求項９のいずれか１項に記載のオゾン供給装置。
【請求項１１】
前記オゾン供給部は、液体供給部と気液混合装置とを備え、
前記濃縮した前記オゾン化ガスを、前記気液混合装置を用いて液体に溶解させてオゾン溶液を生成し、前記オゾン溶液を前記供給対象に供給する請求項１から請求項１０のいずれか１項に記載のオゾン供給装置。
【請求項１２】
オゾン発生器と、内部に吸着剤が充填された吸着塔と、オゾン化ガスを待機させる待機部と、前記オゾン化ガスを供給するオゾン供給部と、前記待機部と前記オゾン供給部との間に接続された減圧装置と、前記吸着剤を冷却する低温冷媒循環器と、を備えたオゾン供給装置を用い、
前記オゾン発生器で発生したオゾン化ガスを、前記吸着塔に導入し、冷却された前記吸着剤に前記オゾン化ガスを吸着する吸着工程と、
前記減圧装置で前記吸着塔を減圧して前記吸着塔内のガス中オゾン純度を高める濃縮工程と、
濃縮された高純度オゾン化ガスを減圧された前記吸着塔および前記待機部の内部に封じ切り、待機する待機工程と、
前記高純度オゾン化ガスを供給する供給工程と、
を備えたオゾン供給方法。
【国際調査報告】
2017130523.tif 000020
2017130523.tif 000021